(57)【要約】【課題】細く小さな対象物であっても目視せずに確実に挟むことができ、使い心地のよい挟み具を提供すること。【解決手段】本発明の一態様は、第１アームおよび第２アームが開閉動作可能に設けられた持ち手部と、第１アームの先端側に設けられ、第２アーム側に凸となる曲面を有する第１先端部と、第２アームの先端側に設けられ、第１アームおよび第２アームを閉じた際に前記曲面と接触する環状部分を有する第２先端部と、を備えた挟み具である。この挟み具において、環状部分は、第１アームおよび第２アームの開閉方向にみて、曲面と先端側に凸となる曲線状に接触する。【選択図】図１
2020110593.tif 000002
【特許請求の範囲】
【請求項１】
第１アームおよび第２アームが開閉動作可能に設けられた持ち手部と、
前記第１アームの先端側に設けられ、前記第２アーム側に凸となる曲面を有する第１先端部と、
前記第２アームの先端側に設けられ、前記第１アームおよび前記第２アームを閉じた際に前記曲面と接触する環状部分を有する第２先端部と、
を備えた挟み具。
【請求項２】
前記環状部分は、前記第１アームおよび前記第２アームの開閉方向にみて、前記曲面と先端側に凸となる曲線状に接触する、請求項１記載の挟み具。
【請求項３】
前記第１先端部はボール形状を有し、
前記環状部分は、前記第１アームおよび前記第２アームの開閉方向にみて、前記第１先端部のボール形状の外径よりも小さい内径を有する、請求項１記載の挟み具。
【請求項４】
前記第１先端部は球形、楕円球形、先端が丸みを帯びた円柱形および先端が丸みを帯びた円錐形のいずれかを有する、請求項１から３のいずれか１項に記載の挟み具。
【請求項５】
前記環状部分は、前記第１アームおよび前記第２アームを閉じていくほど前記曲面との接触領域が増加するように設けられた、請求項１から４のいずれか１項に記載の挟み具。
【請求項６】
前記第１アームの前記第２アームとは反対側に略部分円柱状に設けられた第１丸形部と、
前記第２アームの前記第１アームとは反対側に略部分円柱状に設けられた第２丸形部と、をさらに備えた、請求項１から５のいずれか１項に記載の挟み具。
【発明の詳細な説明】
【技術分野】
【０００１】
本発明は、挟み具に関し、より詳しくは、特に毛抜きに好適な挟み具に関するものである。
【背景技術】
【０００２】
ピンセットや毛抜きなどの挟み具は、指では掴みにくい細くて小さなものを的確に摘まむことができる便利な道具である。従来、挟み具として、特許文献１には、毛抜き部を二面の挟み付け型にし、また、毛抜き部を支持部に対して、有効な曲げ角度をもたせることにより、毛抜きを容易に、安全に使い易くした毛抜きの用具が開示される。
【０００３】
また、特許文献２には、先端部を丸めて皮膚を傷つけるのを防止するとともに、毛を確実に挟むことのできる毛抜きが開示される。この毛抜きでは、両挟持面の先端部を、その幅方向に沿って、先端側に突出するように曲線状に形成するとともに、両挟持面のそれぞれに、閉時に互いに嵌合して毛を挟み込む段差部が設けられる。
【０００４】
特許文献３には、薄型軽量でかつ強靱性を備え手軽かつ安全に体毛を処理できると共に量産性に優れた体毛処理具の製造方法が開示される。この製造方法では、先端部に設けられた体毛処理部と、体毛処理部の後方に連続して設けられた手持ち部とを備えた二枚の板状本体部が後端側で一体化された金属製体毛処理具の製造方法であり、板状本体部を、冷間鍛造工程を経て成形している。
【０００５】
特許文献４には、挟持対象物の挟持が確実になされ、先端での切断が生ずる虞を無くし、更に先端で肌など傷付けない挟持面部を簡単な構造で実現した挟み具が開示される。この挟み具では、挟持面部を膨出湾曲面に形成すると共に、操作板部を閉口して挟持面部を当接した際に、挟持個所となる当接位置の先端に近接し、且つその当接位置から先端側が僅かに開口する形状になっている。
【０００６】
特許文献５には、対象物を正確に捉える毛抜き、骨抜などの挟み具が開示される。この挟み具では、支持部の一端に一対の対峙する作用部を有し、作用部の先端付近を帯状に残して貫通穴、または、切り欠き部を設け、作用帯部を形成している。
【０００７】
特許文献６には、無駄毛やトゲ等の毛抜き対象物を見え易くすることで毛抜き対象物を挟み易くすることが可能な毛抜きが開示される。この毛抜きは、先端側が互いに離れていると共に基端側が一体にされている帯板状の一対の操作部と、一対の操作部の先端側に形成されており、一対の操作部の先端側を互いに接近させると最初に当接する当接部と、当接部の一部を貫通するように一対の操作部を夫々貫通している貫通孔と、を備えている。
【先行技術文献】
【特許文献】
【０００８】
【特許文献１】特開平９−２７６０３５号公報
【特許文献２】特開２００７−０８２９２３号公報
【特許文献３】特開２０１２−２００３４４号公報
【特許文献４】特開２０１５−１５０３０７号公報
【特許文献５】実用新案登録第３１７８０５３号公報
【特許文献６】実用新案登録第３１８４４４８号公報
【発明の概要】
【発明が解決しようとする課題】
【０００９】
このような挟み具を使用して挟む必要のある対象物は、毛のように細くて小さなものが多く、目視することが困難である。このため、挟み具を用いる場合、目視しなくても対象物を確実に挟めることが望まれる。また、人や動物に用いる場合、対象物を挟む作業で皮膚への刺激や痛さを感じさせないことが好ましい。
【００１０】
本発明は、細くて小さな対象物であっても目視せずに確実に挟むことができ、使い心地のよい挟み具を提供することを目的とする。
【課題を解決するための手段】
【００１１】
本発明の一態様は、第１アームおよび第２アームが開閉動作可能に設けられた持ち手部と、第１アームの先端側に設けられ、第２アーム側に凸となる曲面を有する第１先端部と、第２アームの先端側に設けられ、第１アームおよび第２アームを閉じた際に前記曲面と接触する環状部分を有する第２先端部と、を備えた挟み具である。
【００１２】
このような構成によれば、第１アームおよび第２アームを閉じた際に第１先端部の曲面と、第２先端部の環状部分とが接触して、対象物を挟み込むことができる。この際、曲面と環状部分との接触によって両者の接触領域が曲線状になるため、広い範囲で対象物を挟むことができるようになる。また、対象物を挟む領域が曲線状になるため、対象物の周辺への刺激を少なくすることができる。
【００１３】
上記挟み具において、環状部分は、第１アームおよび第２アームの開閉方向にみて、前記曲面と先端側に凸となる曲線状に接触するように設けられていることが好ましい。これにより、第１先端部の曲面と、第２先端部の環状部分との接触によって構成される接触領域が先端側に凸となる曲線状になって、先端から両側面にかけて対象物を挟む領域を構成することができる。
【００１４】
上記挟み具において、第１先端部はボール形状を有し、環状部分は、第１アームおよび第２アームの開閉方向にみて、第１先端部のボール形状の外径よりも小さい内径を有していてもよい。これにより、第１アームおよび第２アームを閉じた際、環状部分の輪の内側に第１先端部の凸となる曲面が嵌まるようになり、リング状の接触領域が構成される。
【００１５】
上記挟み具において、第１先端部は球形、楕円球形、先端が丸みを帯びた円柱形および先端が丸みを帯びた円錐形のいずれかを有していることが好ましい。これにより、先端部分の当たりを柔らかくすることができる。
【００１６】
上記挟み具において、環状部分は、第１アームおよび第２アームを閉じていくほど曲面との接触領域が増加するように設けられていてもよい。これにより、第１アームおよび第２アームの閉じ具合によって対象物を挟み込む領域の範囲を調整することができる。
【００１７】
上記挟み具において、第１アームの第２アームとは反対側に略部分円柱状に設けられた第１丸形部と、第２アームの第１アームとは反対側に略部分円柱状に設けられた第２丸形部と、をさらに備えていてもよい。これにより、第１丸形部と第２丸形部とを摘まんだ指の間で持ち手部を転がすように軸回転させることができ、第１先端部および第２先端部の角度を変えやすくなる。
【発明の効果】
【００１８】
本発明によれば、細く小さな対象物であっても目視せずに確実に挟むことができ、使い心地のよい挟み具を提供することが可能になる。
【図面の簡単な説明】
【００１９】
【図１】（ａ）〜（ｅ）は、本実施形態に係る挟み具の構成を例示する模式図である。
【図２】（ａ）および（ｂ）は、本実施形態に係る挟み具の動作を例示する模式側面図である。
【図３】（ａ）および（ｂ）は、本実施形態に係る挟み具の使用例を示す模式図である。
【図４】（ａ）〜（ｃ）は、先端部分の他の形状の例を示す模式図である。
【図５】（ａ）および（ｂ）は、先端部分の他の開閉の例を示す模式図である。
【図６】（ａ）および（ｂ）は、ストッパを有する挟み具について例示する模式側面図である。
【図７】（ａ）〜（ｃ）は、丸形部を有する挟み具について例示する模式図である。
【発明を実施するための形態】
【００２０】
以下、本発明の実施形態を図面に基づいて説明する。なお、以下の説明では、同一の部材には同一の符号を付し、一度説明した部材については適宜その説明を省略する。
【００２１】
（挟み具の構成）
図１（ａ）〜（ｅ）は、本実施形態に係る挟み具の構成を例示する模式図である。
図１（ａ）には斜視図が示され、図１（ｂ）には側面図が示され、図１（ｃ）には上面図が示され、図１（ｄ）には正面図が示され、図１（ｅ）には先端部分の断面図が示される。
図２（ａ）および（ｂ）は、本実施形態に係る挟み具の動作を例示する模式側面図である。
図２（ａ）には第１アーム１１および第２アーム１２を開いた状態が示され、図２（ｂ）には第１アーム１１および第２アーム１２を閉じた状態が示される。
【００２２】
本実施形態に係る挟み具１は、毛のような細くて小さな対象物を目視しなくても確実に挟むことができる器具である。すなわち、挟み具１は、第１アーム１１および第２アーム１２が開閉動作可能に設けられた持ち手部１０と、第１アーム１１の先端に設けられ、第２アーム１２側に凸となる曲面１１１ａを有する第１先端部１１１と、第２アーム１２の先端に設けられ、第１アーム１１および第２アーム１２を閉じた（閉じる方向に動作した）際に曲面１１１ａと接触する環状部分１２１ａを有する第２先端部１２１と、を備える。
【００２３】
持ち手部１０は、一対の第１アーム１１および第２アーム１２を指（例えば、親指と人差し指）で摘まむように把持することができる。第１アーム１１および第２アーム１２は、例えば金属や樹脂など弾性を有する材料によって形成される。
【００２４】
第１アーム１１および第２アーム１２の一方側（先端側）が可動側、他方側（後端側）が固定側となっており、材料の弾性を利用して可動側を開閉できるようになっている。第１アーム１１および第２アーム１２の先端側は、後端側の支持部１５を支点として材料などの弾性力により通常状態で開いており、指で第１アーム１１および第２アーム１２を摘まむ力で閉じることができる。
【００２５】
第１アーム１１および第２アーム１２は一体に設けられていてもよいし（例えば、Ｕ字型に成形）、別体に設けられ、後端側で両者を接合するようになっていてもよい。
【００２６】
第１アーム１１の先端側に設けられた第１先端部１１１は、例えばボール形状を有している。図１に示す例では第１先端部１１１は楕円球形に設けられ、第１アーム１１の先端側に取り付けられている。第１先端部１１１の表面には曲面１１１ａが設けられる。曲面１１１ａは、第１先端部１１１の第２アーム１２側に凸となる面である。なお、第１アーム１１および第１先端部１１１は別体で設けられていてもよいし、一体に設けられていてもよい。
【００２７】
第２アーム１２の先端側に設けられた第２先端部１２１は、環状部分１２１ａを有する。環状部分１２１ａは、第１アーム１１および第２アーム１２を閉じた際に第１先端部１１１の曲面１１１ａと接触する形状および大きさに設けられる。例えば、第１アーム１１および第２アーム１２を閉じた際、環状部分１２１ａの輪の内側に、第１先端部１１１の凸となる曲面１１１ａが嵌まるように設けられる。
【００２８】
具体的な例として、環状部分１２１ａの内径は、第１アーム１１および第２アーム１２の開閉方向（以下、単に「開閉方向」と言う。）にみて、第１先端部１１１のボール形状の外径よりも小さくなっている。これにより、第１アーム１１および第２アーム１２を閉じた際、環状部分１２１ａの輪の内側に、第１先端部１１１の凸となる曲面１１１ａが嵌まるようになり、リング状の接触領域ＣＡが構成される。
【００２９】
挟み具１では、この曲面１１１ａと環状部分１２１ａとが接触する領域である接触領域ＣＡにおいて対象物を挟むようになる。なお、対象物を挟んでいる状態では、接触領域ＣＡにおいて曲面１１１ａと環状部分１２１ａとの間に対象物が介在するため、曲面１１１ａと環状部分１２１ａとの厳密な接触はないが、説明の便宜上、挟み具１で対象物を挟む領域を接触領域ＣＡと言うことにする。
【００３０】
（挟み具の動作）
次に、本実施形態に係る挟み具１の動作について説明する。
図２（ａ）に示すように、持ち手部１０の第１アーム１１および第２アーム１２に力を加えていない通常状態では、例えば材料の弾性力によって第１アーム１１および第２アーム１２の先端側が開いた状態となる。
【００３１】
図２（ｂ）に示すように、持ち手部１０の第１アーム１１および第２アーム１２に、例えば材料の弾性力に打ち勝つ力を加えることで、第１アーム１１および第２アーム１２の先端側が閉じる状態となる。これにより、第１先端部１１１の曲面１１１ａと、第２先端部１２１の環状部分１２１ａとが接触する状態となり、この接触領域ＣＡにおいて対象物を挟み込むことができる。この際、曲面１１１ａと環状部分１２１ａとの接触によって両者の接触領域ＣＡが曲線状になるため、直線状に比べて広い範囲で対象物を挟むことができるようになる。
【００３２】
また、第１先端部１１１の曲面１１１ａが環状部分１２１ａの輪の内側に嵌まると、開閉方向にみて、曲面１１１ａと先端側に凸となる曲線状に接触することになる。これにより、接触領域ＣＡが先端側に凸となる曲線状になって、先端を中心とした両側にかけて対象物を挟む領域を構成することができる。すなわち、通常のピンセットでは先端の直線状に挟む領域が構成される。一方、本実施形態に係る挟み具１では、先端のみならず、先端から両側にかけて曲線状に挟む領域が構成され、先端からその両側にかけた広い範囲で対象物を挟むことができるようになる。
【００３３】
また、環状部分１２１ａの内径が、開閉方向にみて、第１先端部１１１のボール形状の外径よりも小さくなっていることで、第１アーム１１および第２アーム１２を閉じた際、環状部分１２１ａは第１先端部１１１のボール形状の開閉方向の中央（高さの中央）よりも上側に嵌まることになる。このため、環状部分１２１ａと曲面１１１ａとの接触領域ＣＡは、開閉方向にみて、第１先端部１１１の外形よりも内側に構成される。つまり、接触領域ＣＡが第１先端部１１１の外形よりも内側に位置するため、挟み具１の最端位置で対象物を摘まむことはなく、最端位置よりも僅かに内側で摘まむよう構成される。したがって、対象物の周辺（皮膚など）を誤って挟んでしまうことを抑制できる。
【００３４】
さらに、本実施形態に係る挟み具１では、環状部分１２１ａの断面形状が略円形になっている（図１（ｅ）参照）。これにより、環状部分１２１ａと曲面１１１ａとが線接触する状態となる。このため、挟み具１における挟み部分が器具の最端にはなり得ない。したがって、対象物の周辺を誤って挟んでしまうことを抑制できる。例えば挟み具１を毛抜きに利用する場合、皮膚から少し離れた位置で毛を挟むことができ、挟み具１の先端が皮膚に当たったとしても皮膚を挟みにくくなる。
【００３５】
また、対象物を挟む領域が曲線状になるため、刺激を少なくすることができる。すなわち、例えばピンセットのように先端が直線的に閉じる器具の場合、閉じる領域の端部が尖ることから、皮膚などへの当たりが強く、刺激を受けやすい。本実施形態に係る挟み具１では、曲面１１１ａと環状部分１２１ａとの接触によって丸みを帯びた接触領域が構成され、ピンセットのような尖った接触領域にはならない。このため、皮膚などへの当たりが優しく、肌触りの不快感が少ない。
【００３６】
（使用例）
次に、本実施形態に係る挟み具１の使用例について説明する。
図３（ａ）および（ｂ）は、本実施形態に係る挟み具の使用例を示す模式図である。
図３（ａ）には耳の毛６５を抜く際の使用状態が示され、図３（ｂ）には毛６５を挟んだ状態の拡大図が示される。
挟み具１を耳の毛６５を抜く毛抜きとして利用する場合、持ち手部１０の第１アーム１１および第２アーム１２の長さは、約５ｃｍから７ｃｍ程度、第１先端部１１１および第２先端部１２１の長さは１ｃｍ程度、太さは５ｍｍから１０ｍｍ程度が好ましい。
【００３７】
図３（ａ）に示すように、先ず、利用者は挟み具１の持ち手部１０を指Ｆで摘まむようにして持ち、挟み具１の先端側を毛抜きをしたい位置（例えば、外耳道５０）に入れる。挟み具１の第１先端部１１１は丸みを帯びたボール形状のため、外耳道５０に挿入する際の当たりが優しく、皮膚６０への刺激は非常に少ない。
【００３８】
挟み具１を外耳道５０に入れた後、第１アーム１１および第２アーム１２を指Ｆで押圧して先端側を閉じるようにする。図３（ｂ）に示すように、第１アーム１１および第２アーム１２の先端側が閉じると、第２先端部１２１の環状部分１２１ａの輪の内側に第１先端部１１１の曲面１１１ａが嵌まるように閉じる。この際、皮膚６０から生える毛６５が環状部分１２１ａと曲面１１１ａとの接触領域ＣＡに挟まれ、毛６５を摘まむことができる。なお、毛６５は環状部分１２１ａの輪の内側から接触領域ＣＡに挟まれる場合もあるし、環状部分１２１ａの輪の外側から接触領域ＣＡに挟まれる場合もある。利用者は、毛６５を摘まんだ状態で挟み具１を引き出すことで、摘まんだ毛６５を皮膚６０から抜くことができる。
【００３９】
本実施形態に係る挟み具１では、環状部分１２１ａと曲面１１１ａとの接触領域ＣＡが曲線状になるため、先端の中央から周辺にわたる広い範囲で毛６５を挟むことができるようになる。また、毛６５を挟む構成の一方が環状部分１２１ａのような輪になっているため、輪を通して上下（内外）いずれの方向からも毛６５を挟むことができ、広範囲かつ高確率で毛６５を挟むことが可能となる。
【００４０】
このため、利用者は外耳道５０の毛６５を見て確認することなく、挟み具１の先端を適宜に外耳道５０に入れて第１アーム１１および第２アーム１２を摘まむことで、自然に毛６５を摘まんで抜くことができる。毛６５を挟持できなかった場合には、挟み具１の先端を入れ直したり、前後させたり、先端の深さや向きを変えて入れ直したりすることで、毛６５を引っ掛けることができる。
【００４１】
ここで、第１先端部１１１のボール形状の大きさ（先端側からみた直径）を、平均的な外耳道５０の大きさより僅かに小さい例えば５ｍｍ以上１０ｍｍ以下程度にしておくことが好ましい。これにより、挟み具１の先端を外耳道５０に入れる際、第１先端部１１１が外耳道５０の皮膚６０に近く、場合によって皮膚６０に擦れながら入っていく。そして、曲面１１１ａと環状部分１２１ａとの隙間に毛６５が自然に入り込むようになる。この状態で第１アーム１１および第２アーム１２を閉じるように指で摘まむと、接触領域ＣＡで毛６５を容易かつ確実に挟持できるようになる。
【００４２】
（他の例）
次に、他の例について説明する。
図４（ａ）〜（ｃ）は、先端部分の他の形状の例を示す模式図である。
図４（ａ）に示す例では、第１先端部１１１が球形になっている。また、この第１先端部１１１の形状に対応して、第２先端部１２１の環状部分１２１ａの形状が円形になっている。このように、第１先端部１１１が球形で、環状部分１２１ａが円形の環状になっていると、製造が容易となる。
【００４３】
図４（ｂ）に示す例では、第１先端部１１１の形状として先端が丸みを帯びた円柱形になっている。また、この第１先端部１１１の形状に対応して、第２先端部１２１の環状部分１２１ａの形状が長円形の環状になっている。このように、第１先端部１１１の形状が先端方向に細長く設けられることで、細長い穴に差し込みやすくなる。
【００４４】
図４（ｃ）に示す例では、第１先端部１１１の形状として先端が丸みを帯びた円錐形になっている。また、この第１先端部１１１の形状に対応して、第２先端部１２１の環状部分１２１ａの形状が三角形の環状になっている。このように、第１先端部１１１の形状が先端方向に細くなる円錐形に設けられることで、挟み具１を小さな穴に差し込みやすくなる。
【００４５】
なお、第１先端部１１１の先端側からみた形状は円形に限定されない。例えば、楕円形、長円形、半円形などの形状にしてもよいし、例えば一般的な外耳道５０の孔形状に対応した形状にしてもよい。
【００４６】
図５（ａ）および（ｂ）は、先端部分の他の開閉の例を示す模式図である。
図５に示す挟み具１では、第２先端部１２１の環状部分１２１ａが、第１アーム１１および第２アーム１２を閉じていくほど曲面１１１ａとの接触領域ＣＡが増加するように設けられている。具体的には、図５（ａ）に示すように、環状部分１２１ａが先端側に下がる（先端側に第１先端部１１１と近づく）よう傾斜して設けられる。これにより、第１アーム１１および第２アーム１２が開いている状態では、環状部分１２１ａの先端側が第１先端部１１１の曲面１１１ａに近く（または接触）、後端側が曲面１１１ａから離れている。
【００４７】
図５（ｂ）に示すように、第１アーム１１および第２アーム１２を閉じていくと、環状部分１２１ａと第２アーム１２との間の部分の弾性変形によって環状部分１２１ａの傾斜が徐々に無くなり、接触領域ＣＡが先端側から後端側へと徐々に増加していく。これにより、第１アーム１１および第２アーム１２の閉じ具合によって対象物を挟み込む領域（接触領域ＣＡ）の範囲を調整することができる。
【００４８】
なお、第１アーム１１および第２アーム１２への押圧を止めることで、第１アーム１１および第２アーム１２は開く方向に戻るとともに、環状部分１２１ａの傾斜も弾性力によって元に戻ることになる。
【００４９】
このような挟み具１では、環状部分１２１ａが予め先端側に下がるように傾斜しているため、挟み具１の先端側を外耳道５０などの穴に挿入しやすくなる。また、この挟み具１では、環状部分１２１ａと曲面１１１ａとの先端側の部分を予め接触させておくとよい。これにより、毛抜きとして使用する場合、挟み具１を外耳道５０に挿入するだけで（第１アーム１１および第２アーム１２を閉じる前に）、接触領域ＣＡの先端側の部分に毛６５が挟まりやすくなり、毛６５を引っ掛ける確率が高まる。
【００５０】
図６（ａ）および（ｂ）は、ストッパを有する挟み具について例示する模式側面図である。
図６（ａ）には第１アーム１１および第２アーム１２を開いた状態が示され、図６（ｂ）には第１アーム１１および第２アーム１２を閉じた状態が示される。
【００５１】
図６に示す挟み具１は、第１アーム１１と第２アーム１２との間にストッパ２０を備えている。図６（ａ）に示す例では、ストッパ２０は第１アーム１１に設けられているが、第２アーム１２に設けられていてもよいし、第１アーム１１および第２アーム１２の両方に設けられていてもよい。
【００５２】
図６（ｂ）に示すように、ストッパ２０は、第１アーム１１および第２アーム１２を閉じる際に、必要以上に閉じ過ぎないようにする役目を果たす。ストッパ２０の材料には、耐久性のウレタンゴムが好適である。ストッパ２０が設けられていることで、第１アーム１１および第２アーム１２を強く摘まみ過ぎた場合や、繰り返し使用による第１アーム１１および第２アームの変形、環状部分１２１ａの変形を抑制することが可能となる。
【００５３】
図７（ａ）〜（ｃ）は、丸形部を有する挟み具について例示する模式図である。
図７（ａ）には挟み具１の斜視図が示され、図７（ｂ）には図７（ａ）のＡ−Ａ線端面図が示され、図７（ｃ）には挟み具１の使用例を示される。
【００５４】
図７に示す挟み具１は、第１アーム１１の第２アーム１２とは反対側に略部分円柱状に設けられた第１丸形部１１ａと、第２アーム１２の第１アーム１１とは反対側に略部分円柱状に設けられた第２丸形部１２ａと、を備える。第１丸形部１１ａおよび第２丸形部１２ａのそれぞれは略半円柱状に設けられ、互いに外側に凸となるように第１アーム１１および第２アーム１２に設けられる。第１丸形部１１ａおよび第２丸形部１２ａは開閉方向にみて互いに重なる位置に配置される。第１丸形部１１ａは第１アーム１１とは別体で設けられていてもよいし、一体に設けられていてもよい。また、第２丸形部１２ａは第２アーム１２とは別体で設けられていてもよいし、一体に設けられていてもよい。
【００５５】
図７（ｂ）に示すように、第１丸形部１１ａおよび第２丸形部１２ａを正面からみると、これらを合わせることで略円形の外形が構成される。すなわち、第１丸形部１１ａで略円形の上半分が構成され、第２丸形部１２ａで略円形の下半分が構成される。
【００５６】
図７（ｃ）に示すように、利用者は挟み具１の第１丸形部１１ａおよび第２丸形部１２ａを指Ｆで摘まむようにして持つ。第１丸形部１１ａおよび第２丸形部１２ａを介して第１アーム１１および第２アーム１２を指Ｆで押圧して先端側を閉じるようにすることで、第２先端部１２１の環状部分１２１ａの輪の内側に第１先端部１１１の曲面１１１ａが嵌まるように閉じ、接触領域ＣＡで対象物を挟むことができる。
【００５７】
また、第１丸形部１１ａおよび第２丸形部１２ａを指Ｆで摘まんだ状態で、指Ｆの間で持ち手部１０を転がすように軸回転させると、第１先端部１１１および第２先端部１２１の角度を変えやすくなる。すなわち、第１丸形部１１ａおよび第２丸形部１２ａによって、例えば親指と人差し指との間で円柱を転がすようにすると、持ち手部１０が軸回転して第１先端部１１１および第２先端部１２１の角度が変わり（矢印Ｒ参照）、接触領域ＣＡの角度を容易に変更できるようになる。
【００５８】
挟み具１を使用して対象物を摘まむ場合、対象物の位置や伸びる向きによってはうまく摘まめない場合もある。第１丸形部１１ａおよび第２丸形部１２ａが設けられていると、指Ｆで転がすようにして接触領域ＣＡの角度を好みの位置に合わせ、対象物の位置や伸びる向きに対応させて摘まみやすくすることができる。
【００５９】
なお、第１丸形部１１ａおよび第２丸形部１２ａの略部分円柱状の形状は半円柱形に限定されず、指Ｆで摘まんだ際に指Ｆの間で容易に転がせることができるような丸みを帯びた形状であればよい。
【００６０】
以上説明したように、本実施形態に係る挟み具１によれば、細く小さな対象物であっても、対象物を目視することなく確実に挟むことができるようになる。また、先端部分の丸みによって、使い心地のよい挟み具１を提供することが可能となる。
【００６１】
なお、上記に本実施形態およびその適用例を説明したが、本発明はこれらの例に限定されるものではない。例えば、環状部分１２１ａとして閉じた輪になる形状の例を示したが、輪の途中に僅かな切れ目があっても実質的に環状になっていればよい。また、環状部分１２１ａは、円形、楕円形、長円形に限定されず、半円形、半楕円形、Ｕ字形など、先端側に凸となる曲線部分が設けられた形状であれば他の形状であってもよい。また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【産業上の利用可能性】
【００６２】
本発明に係る挟み具１は、毛抜きのほか、魚の骨抜きなど小さく細い対象物を摘まむ用途や、目視できない部分の対象物を摘まむ用途に好適に利用可能である。また、挟み具１は、草取り、枝、ツルを挟む場合など片手で持って挟む作業を行う程度の大きさでもよいし、さらに大きな工具、工事用機器の挟持ユニットとしても適用可能である。
【符号の説明】
【００６３】
１…挟み具
１０…持ち手部
１１…第１アーム
１１ａ…第１丸形部
１２…第２アーム
１２ａ…第２丸形部
１５…支持部
２０…ストッパ
５０…外耳道
６０…皮膚
６５…毛
１１１…第１先端部
１１１ａ…曲面
１２１…第２先端部
１２１ａ…環状部分
ＣＡ…接触領域
Ｆ…指
【図１】
2020110593.tif 000003
【図２】
2020110593.tif 000004
【図３】
2020110593.tif 000005
【図４】
2020110593.tif 000006
【図５】
2020110593.tif 000007
【図６】
2020110593.tif 000008
【図７】
2020110593.tif 000009